(57)【要約】【課題】  本発明は、組立後も好適な外観を保つ押出形材と、その押出形材を使用する手摺を提供することにある。【解決手段】  リブなどの凸部、または溝などの凹部を形材押出方向に沿って連続して有する押出形材であって、形材の表面には、凸部を切除してできた切除痕や不要な凹部の露出した箇所を隠す形材と同色のシートで被覆してあることを特徴とする。【選択図】      図１
2019203240.tif 000002
【特許請求の範囲】
【請求項１】
外周部にリブなどの凸部、または溝などの凹部を形材押出方向に沿って連続して有する押出形材であって、
形材本体の表面には、凸部を切除してできた切除痕や不要な凹部の露出した箇所を隠す形材本体と同色のシートで被覆してあることを特徴とする押出形材。
【請求項２】
少なくとも支柱と上枠と下枠とを備える手摺であって、
支柱の見付面には、形材押出方向に連続した凸部または凹部が支柱と一体的に設けてあり、凸部は、形材本体の見付面と面一となるように切除してあり、凹部は、他部材を取り付けない箇所が露出しており、
凸部の切除痕、または凹部が露出する箇所に、形材本体と同色のシートを被覆してあることを特徴とする請求項１記載の押出形材を使用する手摺。
【発明の詳細な説明】
【技術分野】
【０００１】
本発明は、断面が設計形状に加工されている押出形材と、その押出形材から構成される手摺に関するものである。
【背景技術】
【０００２】
バルコニーや通路に設置される手摺は、押出形材を組み合わせて構築される。このうち、笠木や下枠などを支持する手摺支柱は、上述の笠木や下枠などを取り付ける箇所にある竪枠を取り付けるための凸部等を切除し、その平滑な取付面を確保した状態で固定具によって固定される。
【先行技術文献】
【特許文献】
【０００３】
【特許文献１】特開２０１２−９２６１９号公報
【発明の開示】
【発明が解決しようとする課題】
【０００４】
上記のような手摺では、押出方向に連続する他部材との連結部などの凸部や、あるいは、ネジ止め用の溝などの凹部がある場合、その上から笠木や下枠を取り付ける構造である。このことから、笠木や下枠を取り付けない箇所では、凸部を切除した際の切削痕や、あるいは押出形材に設けてある不要な溝が露出し、外観の体裁を損なう問題があった。
【０００５】
本発明は以上に述べたような実情に鑑み、組立後においても外観の体裁を損ねない押出形材と、その押出形材からなる手摺を提供することにある。
【課題を解決するための手段】
【０００６】
本発明の請求項１記載の発明は、外周部にリブなどの凸部、または溝などの凹部を形材押出方向に沿って連続して有する押出形材であって、形材本体の表面には、凸部を切除してできた切除痕や不要な凹部の露出した箇所を隠す形材本体と同色のシートで被覆してあることを特徴とする。
【０００７】
本発明の請求項２記載の発明は、少なくとも支柱と上枠と下枠とを備える手摺であって、
支柱の見付面には、形材押出方向に連続した凸部または凹部が支柱と一体的に設けてあり、凸部は、形材本体の見付面と面一となるように切除してあり、凹部は、他部材を取り付けない箇所が露出しており、凸部の切除痕、または凹部が露出する箇所に、形材本体と同色のシートを被覆してあることを特徴とする請求項１記載の押出形材を使用する。
【発明の効果】
【０００８】
本発明のうち請求項１記載の発明によれば、形材と同色のシートを押出形材の表面に被覆することにより、凸部の切除痕や不要な凹部の露出面を隠すことができるので、押出形材の表面に露出する不要な切除痕や溝などの凹部が手摺などの形材構造物の表面にあらわれず、このことから、上記の押出形材を使用して構築した形材構造物の体裁を損ねることがない。
【０００９】
本発明のうち請求項２記載の発明によれば、前述した請求項１の押出形材を使用して手摺を構築することにより、支柱に上枠と下枠を取り付けるための平坦なスペースを確保したときに、上記のスペース以外の箇所は外部に露出する。この露出した箇所に形材と同色のシートを被覆することで、支柱に不要な凹凸がなくなって手摺の外観の体裁を損ねることがない。したがって、外観の好適な手摺を提供できる。
【図面の簡単な説明】
【００１０】
【図１】本実施による押出形材を使用する手摺であり、（ａ）は、その手摺の要部を拡大した正面図であり、（ｂ）は、（ａ）中Ｂ−Ｂ線断面図である。
【図２】（ａ）と（ｂ）は、本実施による押出形材を使用する手摺支柱を拡大した斜視図であり、切除痕を隠す補修シートの施工手順を示すものである。
【図３】本実施による押出形材を構築する被覆シートを示す（ａ）は、使用前の状態を示す斜視図であり、（ｂ）は、Ｃ−Ｃ線断面図である。
【図４】本実施による押出形材を使用した手すりの全体を示す（ａ）は、正面図であり、（ｂ）は、Ａ−Ａ線断面図である。
【図５】（ａ）は、本実施による押出形材を使用する手摺の竪枠の構造を示す図４（ａ）のＤ−Ｄ線断面図であり、（ｂ）は同じく胴縁の構造を示す図４（ｂ）中Ｅを拡大した縦断面図である。
【発明を実施するための形態】
【００１１】
以下、本発明の押出形材で構築される手摺の実施形態を各図面に基づいて説明する。
本手摺は、図４（ａ）（ｂ）のように、支柱１と笠木２と胴縁３と竪枠４とパネル５とから構成されており、支柱１は、躯体ＲのパラペットＰの上端部に間隔をあけて複数立設してある。さらに、笠木２は、各支柱１の上部間に架設してあり、胴縁３は、支柱１の外側見付け面Ｍの下部に架設してある。そして、支柱１の立設方向に沿って、この支柱１の外側見付け面Ｍに竪枠４を取り付け、さらに、笠木２と胴縁３と竪枠４でパネル５の四周縁部をそれぞれ保持することで手摺を構成するものである。
【００１２】
支柱１は、図１（ａ）〜（ｃ）のように、断面ほぼ矩形状をなす中空で長尺なアルミニウム製の押出形材を使用している。また、支柱１の外周部の一側面には、押出形材の押出方向に沿って係止部６が連続的に設けてある。この係止部６は、胴縁３を取り付ける箇所が切除してあり、さらに、図２（ａ）（ｂ）のように、胴縁３を取り付ける箇所から加工押出形材の下端縁まで連続して切除加工がしてある。これにより、本実施による支柱１の外側見付け面Ｍには、係止部６の切除痕７が設けられる。
【００１３】
上記の支柱１に取り付ける笠木２は、本実施のものでは、各支柱１の上方を覆う覆い部材２ａと、覆い部材２ａの下方に配置される支持部材２ｂと、パネル５を抑えるパネル押さえ部材２ｃとから構成されており、覆い部材２ａと支持部材２ｂとパネル押さえ部材２ｃを組み合わせることで、中空部を有する上記の笠木２を形成する。また、上記の笠木２は、ネジ等の固定具で支柱１のタッピングホールにねじ込んで取り付ける。
【００１４】
竪枠４は、図５（ａ）のように、被係止部４ａと前述したパネル５を押さえる外側押さえ片４ｂとから平面視してＴ字状をなしており、比較的長尺な押出形材で形成してある。また、被係止部４ａは、その形状が支柱１の係止部６と係止するほぼＵ字状をなしており、上記の係止部６とは押し込んでスナップ式に係合する構造となっている。さらに、外側押さえ片４ｂは、被係止部４ａを挟んで両側にほぼ水平に突出しており、その内周面は、パネル５の躯体外側面と緊密に接するように平坦に形成してある。
【００１５】
胴縁３は、図５（ｂ）のように、パネル５を上方から受ける受溝部８を有する胴縁材３ａと、支柱１に固定して胴縁材３ａを受ける胴縁受け材３ｂとから構成している。胴縁材３ａは、躯体外側にパネル５を受ける上向きほぼコ字型の受溝部８を有している。また、躯体内側壁部には、下向き鉤型の係合片９が躯体内側に向けて設けてあり、さらに、下方に突出した垂直片１０を有している。胴縁受け材３ｂは、上部に被係合部１１を有し、下部に躯体外側に突出した受け片１２を有するほぼＬ字型をなすものである。そして、胴縁受け材３ｂの被係合部１１には、胴縁材３ａの係合片９が上下方向に係合し、さらに、胴縁受け材３ｂの受け片１２には、胴縁材３ａの垂直片１０が載ることで、胴縁材３ａが胴縁受け材３ｂから脱落不能な状態で係合する。また、胴縁材３ａと胴縁受け材３ｂは、互いが係合した状態では仮固定の状態であるから、係合片９と被係合部１１が係合する箇所をネジで固定することにより不意な離脱を防いでいる。
【００１６】
被覆シート（被覆材）１５は、図４（ａ）（ｂ）のように、耐候性と耐摩耗性に優れた素材で成形してあり、被覆層１５ａと接着層１５ｂとから構成され、その接着層１５ｂには所定の厚みがある。また、被覆シート１５の露出面側は、本実施のものでは押出形材と同色で且つアルミ色のプリントが施してあり、押出形材に被覆したときに覆った箇所が目立たなくなる。このような被覆シート１５を使用したときに、支柱１の外側見付け面Ｍに設けてある押出形材の押出方向に沿って連続的な係止部６などの凸部や、あるいは、図示はしていないが溝などの凹部があり、不要な部分が露出した場合であっても、肉厚のある接着面の弾力で上記の凸部の切除痕７や凹部を吸収して被覆シート１５で被覆しても平滑な状態にすることができる。また、被覆シート１５の露出面側に配置される被覆層１５ａは、押出形材の色と同色に設定してあり、本実施による手摺を組み立てた後に露出する笠木２、胴縁３の取り付けられていない箇所に残る切除痕７や溝（図示省略）などを隠すことができる。
【００１７】
上記のように構成された手摺は、以下に示すような作用・効果を奏することになる。
支柱１の躯体外側見付け面Ｍには、支柱１を取り付けるために係止部６を切除する加工がなされる。そして、支柱１は前述の押出形材であることから、係止部６が押出形材の押出方向に沿って連続しており、この係止部６を切除することで支柱１の躯体外側見付け面Ｍに胴縁受け材３ｂを安定して取り付けができるスペースを確保する。そして、胴縁受け材３ｂに胴縁材３ａを係合して取り付けたときに、支柱１の足元に係止部６の切除痕７が露出する。これを見えなくするために、支柱１と同一金属色の被覆シート１５を貼ることにより、躯体外側見付け面Ｍに残る切除痕７が覆われて見えなくなる。これにより、手摺の外観の体裁が損なわれることなく、切除痕７がなくなって意匠性が向上する。
【００１８】
本発明では、被覆シート（被覆材）１５で隠す対象となる手摺を構成する部材の形状や大きさについて上記の各実施形態に限定されない。被覆シート１５は、押出形材に部分的に設けてある切除痕７や溝に対しても、 本発明では、被覆材１５で隠す対象となる手摺を構成する部材の形状や大きさについて上記の各実施形態に限定されない。被覆材１５は、押出形材に部分的に設けてある切除痕７や溝に対しても、上記実施形態のように部分的に被覆するものではなく、押出形材の露出する外周面の全体を被覆することで視覚的に押出形材表面の一体感を醸し出すことができる。
【符号の説明】
【００１９】
１  支柱
２  笠木
３  胴縁
３ａ  胴縁材  
３ｂ  胴縁受け材
４  竪枠
５  パネル
６  係止部
７  切除痕
８  受溝部
９  係合片
１０  垂直片
１１  被係止部
１２  受け片
１５  被覆シート（被覆材）
１５ａ  被覆層
１５ｂ  接着層
Ｍ  外側見付け面
【図１】
2019203240.tif 000003
【図２】
2019203240.tif 000004
【図３】
2019203240.tif 000005
【図４】
2019203240.tif 000006
【図５】
2019203240.tif 000007